【手続補正書】
【提出日】令和2年12月17日(2020.12.17)
【手続補正１】
【補正対象書類名】特許請求の範囲
【補正対象項目名】全文
【補正方法】変更
【補正の内容】
【特許請求の範囲】
【請求項１】
キャリアフィルム（１２）と、トップコート（１６）を有すると共に前記キャリアフィルム（１２）上に配置されて前記キャリアフィルム（１２）から剥離可能な転写プライ（１４）と、を含む転写フィルム（１０）であって、
前記転写プライ（１４）に面する側の前記キャリアフィルム（１２）上にマスター構造が成形され、
前記トップコート（１６）が、前記マスター構造と相補的な構造を有する構造化を含むことを特徴とする転写フィルム（１０）。
【請求項２】
構造化ワニス（１８）は、前記マスター構造を構成する
ことを特徴とする、請求項１に記載の転写フィルム（１０）。
【請求項３】
前記キャリアフィルム（１２）は、前記構造化ワニス（１８）からなる、又は、前記キャリアフィルム（１２）は、キャリア層（２０）と、前記キャリア層（２０）上に、前記転写プライ（１４）の方向に配置された構造化ワニス（１８）と、から構成される
ことを特徴とする、請求項２に記載の転写フィルム（１０）。
【請求項４】
前記マスター構造若しくは前記構造化ワニス（１８）、及び／又は、前記トップコート（１６）は、少なくとも領域において均一な表面構造を有する、及び／又は、
前記マスター構造又は前記構造化ワニス（１８）は、１μｍ〜１０μｍの構造深さを有する、及び／又は、
前記マスター構造又は前記構造化ワニス（１８）は、化学的に不活性な表面を有する
ことを特徴とする、請求項１〜３の何れか一項に記載の転写フィルム（１０）。
【請求項５】
前記トップコート（１６）は、長鎖ポリマーから形成される、及び／又は、
前記トップコート（１６）は、ポリウレタンから形成され、
前記ポリウレタンは、補助結合剤を介して、又は、イソシアネート結合剤を用いて、ソフトタッチワニスに配合される
ことを特徴とする、請求項１〜４の何れか一項に記載の転写フィルム（１０）。
【請求項６】
前記トップコート（１６）は、充填剤、シリコーン、ポリウレタン、異なる共重合体、及び／又は、無機化合物を含む、及び／又は、
前記トップコート（１０）は、シリコーン含有アクリレート、シリコーン含有ポリウレタン、オイル、ワックス、及び／又は、ワックス分散物を含む、及び／又は、
前記トップコート（１６）は、ＵＶ硬化性成分を含む
ことを特徴とする、請求項１〜５の何れか一項に記載の転写フィルム（１０）。
【請求項７】
前記トップコート（１６）は、艶消剤を含む、及び／又は、
前記トップコート（１６）は、少なくとも５０％の伸び率を有する、及び／又は、
前記トップコート（１６）は、２００℃までの耐熱性を有する
ことを特徴とする、請求項１〜６の何れか一項に記載の転写フィルム（１０）。
【請求項８】
前記トップコート（１６）は、それがソフトタッチ効果を有するように形成される、及び／又は、
前記トップコート（１６）は、鉛筆硬度ＨＢを有する、及び／又は、
前記トップコート（１６）と前記マスター構造又は前記構造化ワニス（１８）との間に剥離層（２２）が配置される
ことを特徴とする、請求項１〜７の何れか一項に記載の転写フィルム（１０）。
【請求項９】
前記トップコート（１６）の前記キャリアフィルム（１２）とは反対側に、中間層（２４）が配置され、
前記中間層（２４）は、架橋性アクリレート、アミノ樹脂、アミド樹脂、又は、フェノール樹脂を含む、及び／又は、
前記中間層（２４）は、０．１μｍ〜１０μｍの層厚を有する
ことを特徴とする、請求項１〜８の何れか一項に記載の転写フィルム（１０）。
【請求項１０】
前記転写フィルム（１０）は、装飾層（２６）、メタライゼーション（２８）、及び／又は、接着層（３０）、又は、プライマー層を含む、及び／又は、
前記キャリア層（２０）の前記トップコート（１６）とは反対側、又は、前記構造化ワニス（１８）の前記トップコート（１６）とは反対側、の少なくとも領域にハプティックワニス（３２）が配置される
ことを特徴とする、請求項１〜９の何れか一項に記載の転写フィルム（１０）。
【請求項１１】
キャリアフィルム（１２）と、トップコート（１６）を有すると共に前記キャリアフィルム（１２）上に配置されて前記キャリアフィルム（１２）から剥離可能な転写プライ（１４）と、を含む、転写フィルム（１０）を製造する方法であって、
前記キャリアフィルム（１２）に、マスター構造を組み込み、又は、製造し、
前記トップコート（１６）を、前記マスター構造に適用し、
前記キャリアフィルム（１２）の前記マスター構造と相補的な構造を、前記トップコート（１６）に成形する
ことを特徴とする、転写フィルム（１０）を製造する方法。
【請求項１２】
請求項１〜１０の何れか一項に記載の転写フィルム（１０）のＩＭＤフィルムとしての使用。
【請求項１３】
請求項１〜１０の何れか一項に記載の転写フィルム（１０）のソフトタッチフィルムとしての使用。
【請求項１４】
転写フィルム（１０）の転写プライ（１４）で装飾された射出成形品（３４）を製造する方法であって、
−請求項１〜１０の何れか一項に記載の転写フィルム（１０）を射出成形金型内に配置するステップ、
−プラスチック射出成形組成物（３６）を用いて前記転写フィルム（１０）をバック射出成形するステップ、
前記転写フィルム（１０）の前記転写プライ（１４）から、前記マスター構造と共に前記キャリアフィルム（１２）を除去するステップを有する
ことを特徴とする方法。
【請求項１５】
前記トップコート（１６）を、前記転写フィルム（１０）の製造中に硬化する、及び／又は、
前記トップコート（１６）の硬化をポストキュアフィルムとして実施する
ことを特徴とする、請求項１４に記載の方法。 
【手続補正２】
【補正対象書類名】明細書
【補正対象項目名】０１０４
【補正方法】変更
【補正の内容】
【０１０４】
図５及び図６は、それぞれ、別の転写フィルム１０の概略断面図を示す。ハプティックワニス３２は、少なくとも、キャリア層２０のトップコート１６とは反対側の領域に配置される。ハプティックワニス３２は、ほぼ寸法安定性がある。例えばＩＭＤ法で、又は、ホットスタンプ中に、ハプティックワニス３２を有するフィルムがさらに処理される場合、ハプティックワニス３２は変形しないか、わずかに変形するだけである。ＩＭＤ、又は、ホットプレスのためにハプティックワニス３２を有する転写フィルム１０の使用により、それで装飾された射出成形品３４上の転写プライ１４の領域に空間構造を形成することができるようになる。 
【手続補正３】
【補正対象書類名】明細書
【補正対象項目名】０１０７
【補正方法】変更
【補正の内容】
【０１０７】
図７は、転写プライ１４で装飾された射出成形品３４の概略断面図を示す。射出成形品３４は、好ましくはＩＭＤ法によって製造される。このため、転写フィルム１０は、射出成形金型内に配置される。次いで、転写フィルム１０は、プラスチック射出成形組成物３６を用いて、バック射出成形する（back injection molded）。さらなる工程において、マスター構造と共にキャリアフィルム１２は、転写フィルム１０の転写プライ１４から除去される。その結果、トップコート１６は、別の層と共にプラスチック射出成形組成物３６上に残り、それと一緒に射出成形品３４を形成する。トップコート１６は、射出成形品３４の外層を表す。射出成形品３４はソフトタッチ効果を有する。その結果、射出成形品３４は、ソフトタッチ効果を有する。